(57)【要約】      （修正有）【課題】非折り畳み状態のときには、収納作用を有するとともに、ミニテーブルとして子どもの遊びに使うこともでき、また、ブロックを組み立てるための基礎板とすることもでき、折り畳み状態のときは、小体積で様々な場所に置いて使用できるブロック遊び用ボードになる。折り畳み状態でも非折り畳み状態でも、複数組をまとめて置ける、レゴ（登録商標）ブロック専用の折り畳み収納箱を提供する。【解決手段】直方体構造で、上蓋、箱中間部及び箱底部からなり、上蓋の上端面には等間隔に配置された複数の突起が設けられている。箱は折り畳みと非折り畳みの２種類の状態を有し、非折り畳み時には、上蓋を箱中間部の上端に連結し、箱中間部を箱底部に差し込んで、三者の間に収納空間を形成し、折り畳み時には、箱中間部を箱底部内に折り畳み、上蓋を箱底部の上端に連結する。【選択図】図１
0003234143.tif 000002
【実用新案登録請求の範囲】
【請求項１】
直方体構造で、上蓋、箱中間部及び箱底部からなり、前記上蓋の上端面には等間隔に配置された複数の突起が設けられ、
折り畳みと非折り畳みの２種類の状態を有し、非折り畳み時には、上蓋を箱中間部の上端に連結し、箱中間部を箱底部に差し込んで、三者の間に収納空間を形成し、折り畳み時には、箱中間部を箱底部内に折り畳み、上蓋を箱底部の上端に連結することを特徴とする、レゴブロック専用の折り畳み収納箱。
【請求項２】
前記箱中間部は、上端が面一である第１の前、後、左、右パネルを囲み合わせてなり、かつ、シンメトリな第１の前、後パネルの底端は、シンメトリな第１の左、右パネルの底端よりも低く、第１の左、右パネル前端には前向きに９０度湾曲した前パネル固定縁が設けられ、後端には後ろ向きに９０度湾曲した後パネル固定縁が設けられ、前記前パネル固定縁と第１の前パネルは係合部材、係合溝により接続固定され、前記後パネル固定縁と第１の後パネルは係合部材、係合溝により接続固定され、
前記箱底部は、底板及び底板の上方に設けられた第２の前、後、左、右パネルから構成され、第２の前、後パネルはシンメトリで、四角形の開口を有する凹字形パネルであり、第２の前パネル四角形開口の左、右側縁の幅と前記前パネル固定縁とは対応しており係合部材、係合溝により接続され、第２の後パネル四角形開口の左、右側縁の幅と前記後パネル固定縁とは対応しており係合部材、係合溝により接続され、第１の前、後パネルの下端は係合部材、係合溝によって第２の前、後パネルの四角形開口内に差し込まれて、折り部材により接続され、第１の左、右パネルの下端は係合部材、係合溝によって第２の左、右パネル上端に対応し差し込まれて、折り部材により接続され、
第１の前、後、左、右パネルは、箱の中へ折り込むことができ、順に箱底部内に平たく折り畳むことができることを特徴とする、請求項１に記載のレゴブロック専用の折り畳み収納箱。
【請求項３】
前記第１の前、後、左、右パネルの下端には折り部材が設けられ、第２の前、後、左、右パネルにはこれに対応して折り部材挿入溝が設けられており、箱中間部を折り畳むときは、まず第１の前、後パネルを折ってから第１の左、右パネルを折り、第１の前、後パネルのうち折る時に上に位置する方は、折り部材を折り部材挿入溝内で上下移動させて第１の前、後パネルを平たく折り畳むことができ、第１の左、右パネルのうち折る時に上に位置する方は、折り部材を折り部材挿入溝内で上下移動させて第１の左、右パネルを平たく折り畳むことができることを特徴とする、請求項２に記載のレゴブロック専用の折り畳み収納箱。
【請求項４】
前記第１の左、右パネルとその前、後端の前パネル固定縁、後パネル固定縁とは一体成型されることを特徴とする、請求項２に記載のレゴブロック専用の折り畳み収納箱。
【請求項５】
前記第１の左、右パネルには持ち手が設けられることを特徴とする、請求項２に記載のレゴブロック専用の折り畳み収納箱。
【請求項６】
前記上蓋の下端と、箱中間部の上端及び箱底部の上端とは、係合部材、係合溝によって相互連結されることを特徴とする、請求項１に記載のレゴブロック専用の折り畳み収納箱。
【考案の詳細な説明】
【技術分野】
【０００１】
本実用新案は、レゴブロックの組み立て及び収納専用の折り畳み可能な収納箱に関する。
【背景技術】
【０００２】
レゴブロックは、デンマークのオーレ・キアク・クリスチャンセン（Ｏｌｅ  Ｋｉｒｋ  Ｃｈｒｉｓｔｉａｎｓｅｎ）により発明されたプラスチック製の積み木であり、片面に突起を有し、他面に突起を嵌め込むことのできる溝を有する。形状は１３００種類強あり、各形状いずれにも、赤、黄、青、白、黒を主とする１２種類の色がある。子どもが自分の頭と手を使い、組み立てて変幻自在の造形を作り出すことができ、人を夢中にさせる「マジック・プラスチック・ブロック」と言われる。レゴブロックは、子どもの思考力や創造力を大変よく引き出すことのできる教育的意義の高い玩具であり、子どもにも大人にも深く愛されている。レゴブロックを複数セット所持する子どもも多い。
【考案の概要】
【考案が解決しようとする課題】
【０００３】
子どもが平滑な平面上でブロックを組み立てるとき、わずかな不注意で組み立てた構造体を倒してしまったり、又は、造形の高さに限りがある、ブロックが散らばりやすいなどの問題が存在する。また、レゴブロックの保管も悩ましい問題であり、きちんと収納できなければ、多くのブロックによって家が散らかってしまい、次回組み立てるときにも必要なブロックやパーツが見つからなくなってしまう。
【０００４】
本実用新案の目的は、レゴブロック専用の折り畳み収納箱を提供することである。箱は折り畳みと非折り畳みの２種類の状態を有し、非折り畳み状態のときには、収納作用を有するとともに、ミニテーブルとして子どもの遊びに使うこともでき、また、ブロックを組み立てるための基礎板とすることもでき、子どもがさまざまなブロックの組み立て方を見つけるのに役立ち、楽しみを増す。折り畳み状態のときは、占有スペースが小さく様々な場所に置いて使用できるブロック遊び用ボードになる。箱は、折り畳み状態でも非折り畳み状態でも、複数組を積み上げ又は横並べにして置くことができる。
【０００５】
上記目的を実現するために本実用新案が採用する技術案は以下のとおりである。
【課題を解決するための手段】
【０００６】
レゴブロック専用の折り畳み収納箱であって、箱は直方体構造で、上蓋、箱中間部及び箱底部からなり、前記上蓋の上端面には等間隔に配置された複数の突起が設けられ、箱は折り畳みと非折り畳みの２種類の状態を有し、非折り畳み時には、上蓋を箱中間部の上端に連結し、箱中間部を箱底部に差し込んで、三者の間に収納空間を形成し、折り畳み時には、箱中間部を箱底部内に折り畳み、上蓋を箱底部の上端に連結する。
【０００７】
前記箱中間部は、上端が面一である第１の前、後、左、右パネルを囲み合わせてなり、かつ、シンメトリな第１の前、後パネルの底端は、シンメトリな第１の左、右パネルの底端よりも低く、第１の左、右パネル前端には前向きに９０度湾曲した前パネル固定縁が設けられ、後端には後ろ向きに９０度湾曲した後パネル固定縁が設けられ、前記前パネル固定縁と第１の前パネルは係合部材、係合溝により接続固定され、前記後パネル固定縁と第１の後パネルは係合部材、係合溝により接続固定され、前記箱底部は、底板及び底板の上方に設けられた第２の前、後、左、右パネルから構成され、第２の前、後パネルはシンメトリで、四角形の開口を有する凹字形パネルであり、第２の前パネル四角形開口の左、右側縁の幅と前記前パネル固定縁とは対応しており係合部材、係合溝により接続され、第２の後パネル四角形開口の左、右側縁の幅と前記後パネル固定縁とは対応しており係合部材、係合溝により接続され、第１の前、後パネルの下端は係合部材、係合溝によって第２の前、後パネルの四角形開口内に差し込まれて、折り部材により接続され、第１の左、右パネルの下端は係合部材、係合溝によって第２の左、右パネル上端に対応し差し込まれて、折り部材により接続され、第１の前、後、左、右パネルは、箱の中へ折り込むことができ、順に箱底部内に平たく折り畳むことができる。
【０００８】
前記第１の前、後、左、右パネルの下端には折り部材が設けられ、第２の前、後、左、右パネルにはこれに対応して折り部材挿入溝が設けられており、箱中間部を折り畳むときは、まず第１の前、後パネルを折ってから第１の左、右パネルを折り、第１の前、後パネルのうち折る時に上に位置する方は、折り部材を折り部材挿入溝内で上下移動させて第１の前、後パネルを平たく折り畳むことができ、第１の左、右パネルのうち折る時に上に位置する方は、折り部材を折り部材挿入溝内で上下移動させて第１の左、右パネルを平たく折り畳むことができる。
【０００９】
前記第１の左、右パネルとその前、後端の前パネル固定縁、後パネル固定縁とは一体成型される。
【００１０】
前記上蓋の下端と、箱中間部の上端及び箱底部の上端とは、係合部材、係合溝によって相互連結される。
【００１１】
前記第１の左、右パネルには持ち手が設けられ、箱の持ち運びに便利である。
【００１２】
本実用新案のレゴブロック専用の折り畳み収納箱は、折り畳みと非折り畳みの２種類の状態を有し、非折り畳み状態のときには、上蓋、箱中間部及び箱底部を順に上下に差し込んでいくと内部空間を有する箱が形成され、上蓋を開けると内部空間にブロック、その他の玩具、本などの生活用品を収納でき、またミニテーブルとして子どもの遊びに使うこともでき、上蓋には突起が設けられ、ブロックと共に組み立てることが可能で、子どもがさまざまな組み立て方を見つけるのに役立って楽しみを増し、本実用新案の箱は、非折り畳み状態から折り畳み状態へと簡単に変換でき、折り畳む時には、上蓋を開き、第１の前、後、左、右パネルの間の係合部材を開き、まず第１の前、後パネルを箱の中へ折り、それから第１の左、右パネルを折り、最後に上蓋を箱底部に連結する。同様に、逆のステップによって本実用新案の箱を折り畳み状態から非折り畳み状態に簡単に変換できる。
【考案の効果】
【００１３】
本実用新案の箱は折り畳み状態の時、占有スペースが小さく、様々な場所に置いて使用できるブロック遊び用ボードになる。
【００１４】
本実用新案は、箱が折り畳み状態でも非折り畳み状態でも、複数組を積み上げ又は横並べにして置くことができる。複数の箱を横並べにして置いたとき、上蓋上の全ての突起間隔の一致が保たれるので、２つ以上の箱を合わせると、さらに大きなブロック組み立て用基礎板となり、形成されたブロック組み立て用基礎板上の任意の位置にブロック玩具を組み立てることができ、十分な創作スペースを子どもに提供することができる。  
【図面の簡単な説明】
【００１５】
【図１】本実用新案の分解状態の図である。
【図２】本実用新案の箱底部の構造概略図である。
【図３】本実用新案の折り畳みフロー図である。
【図４】本実用新案の半折り畳み状態の図である。
【図５】本実用新案の非折り畳み状態における４組横並べ状態の図である。
【図６】本実用新案の非折り畳み状態における積み上げ状態の図である。
【図７】本実用新案の折り畳み状態における積み上げ状態の図である。
【考案を実施するための形態】
【００１６】
以下、図面と実施例を組み合わせて本実用新案につきより詳細に説明する。
【実施例１】
【００１７】
図１から図４のレゴブロック専用の折り畳み収納箱は、直方体構造で、上蓋１０、箱中間部２０及び箱底部３０からなり、前記上蓋１０の上端面には等間隔に配置された複数の突起１１が設けられ、
箱は折り畳みと非折り畳みの２種類の状態を有し、非折り畳み時には、上蓋１０を箱中間部２０の上端に連結し、箱中間部２０を箱底部３０に差し込んで、三者の間に収納空間を形成し、折り畳み時には、箱中間部２０を箱底部３０内に折り畳み、上蓋１０を箱底部３０の上端に連結する。
【００１８】
箱中間部２０を箱底部３０上部に差し込み、上蓋１０を箱中間部２０の上端に連結するか、又は、箱中間部２０を箱底部３０内に折り畳み、上蓋を箱底部３０上端に連結する。
【００１９】
図１のとおり、箱中間部２０は、上端が面一である第１の前パネル２１、第１の後パネル２２、第１の左パネル２３、第１の右パネル２４を囲み合わせてなり、第１の前、後パネル２１、２２はシンメトリで、第１の左、右パネル２３、２４はシンメトリで、第１の前、後パネル２１、２２の底端は、第１の左、右パネル２３、２４の底端よりも低く、第１の左、右パネル２３、２４の前端には前向きに９０度湾曲した前パネル固定縁１が設けられ、第１の左、右パネル２３、２４の後端には後ろ向きに９０度湾曲した後パネル固定縁２が設けられ、前記第１の左、右パネル２３、２４とその前、後端の前パネル固定縁１、後パネル固定縁２は一体形成され、前記前パネル固定縁１と第１の前パネル２１は係合部材、係合溝により接続固定され、前記後パネル固定縁２と第１の後パネル２２は係合部材、係合溝により接続固定され、
図１、図２のとおり、前記箱底部３０は、底板３５及び底板の上方に設けられた第２の前パネル３１、第２の後パネル３２、第２の左パネル３３、第２の右パネル３４から構成され、第２の前、後、左、右パネルと底板とは一体成型され、
第２の前、後パネル３１、３２は互いにシンメトリであり、四角形の開口を有する凹字形パネルであり、第２の前パネル３１四角形開口の左、右側縁３０１の幅と前記前パネル固定縁１とは対応しており係合部材、係合溝により接続され、第２の後パネル３２四角形開口の左、右側縁の幅と前記後パネル固定縁２とは対応しており係合部材、係合溝により接続され、
第１の前、後パネル２１、２２の下端は係合部材、係合溝により第２の前、後パネル３１、３２四角形開口内に差し込まれて、折り部材４により接続され、第１の左、右パネル２３、２４の下端は係合部材、係合溝によって第２の左、右パネル３３、３４上端に対応し差し込まれて、折り部材４により接続され、上蓋１０、箱中間部２０及び箱底部３０を順に上下に差し込んでいくと内部空間を有する箱が形成され、上蓋を開けると内部空間にブロック、その他の玩具、本などの生活用品を収納でき、ミニテーブルとして子どもの遊びに使うこともでき、上蓋には突起が設けられ、ブロックと共に組み立てることが可能で、子どもがさまざまな組み立て方を見つけるのに役立って楽しみを増す。
【００２０】
図３のとおり、本実用新案の箱は、非折り畳み状態から折り畳み状態へと簡単に変換でき、折り畳む時には、まず箱中間部２０から上蓋１０を取り外し、第１の前、後、左、右パネル２１、２２、２３、２４の間の係合部材を開き、まず第１の前、後パネル２１、２２を箱の中へ折り、それから第１の左、右パネル２３、２４を折り、第１の前、後、左、右パネル２１、２２、２３、２４を順に箱底部３０内に平たく折り畳んで、最後に上蓋１０を箱底部３０に連結すれば折り畳みが完了する。同様に、本実用新案の箱は、この逆のステップによって折り畳み状態から非折り畳み状態へも簡単に変換できる。本実用新案の箱は折り畳み状態の時、占有スペースが小さく、様々な場所に置いて使用できるブロック遊び用ボードになる。
【００２１】
前記第１の前、後、左、右パネル２１、２２、２３、２４の下端には折り部材４が設けられ、第２の前、後、左、右パネル３１、３２、３３、３４にはこれに対応して折り部材挿入溝５が設けられており、第１の前、後パネル２１、２２と第１の左、右パネル２３、２４とには高さの差があり、折り畳むときは、まず第１の前、後パネル２１、２２を折ってから第１の左、右パネル２３、２４を折り、第１の前、後パネル２１、２２のうち折る時に上に位置する方は、折り部材４を折り部材挿入溝５内で上下移動させて第１の前、後パネル２１、２２を平たく折り畳むことができ、第１の左、右パネル２３、２４のうち折る時に上に位置する方は、折り部材４を折り部材挿入溝５内で上下移動させて第１の左、右パネル２３、２４を平たく折り畳むことができる。
【００２２】
前記第１の左、右パネル２３、２４には持ち手３が設けられ、箱の持ち運びに便利である。
【００２３】
前記上蓋１０の下端と、箱中間部２０の上端及び箱底部３０の上端とは、係合部材、係合溝によって相互連結される。
【００２４】
本実用新案は、箱が折り畳み状態でも非折り畳み状態でも、複数組を積み上げ又は横並べにして置くことができる。図５は本実用新案の非折り畳み状態における４組横並べ状態の図であり、図６は本実用新案の非折り畳み状態における積み上げ状態の図であり、図７は本実用新案の折り畳み状態における積み上げ状態の図であるが、本実用新案の箱の横並べ又は積み上げには複数種類の組み合わせ状態が有り得、図５から図７のみに限定されない。複数の箱を横並べにして置いたとき、上蓋上の全ての突起間隔の一致が保たれるので、２つ以上の箱を合わせると、さらに大きなブロック組み立て用基礎板となり、形成されたブロック組み立て用基礎板上の任意の位置にブロック玩具を組み立てることができ、十分な創作スペースを子どもに提供することができる。  
【００２５】
以上の実施方式は本実用新案に対する説明にすぎず、当業者であれば本実用新案の開示内容をベースに同様又は等価の技術手段への置き換えが可能であり、ここでは逐一列挙しないが、同様又は等価の技術手段への置き換えによって得られる技術案は全て、本実用新案が保護を請求する範囲に属する。
【符号の説明】
【００２６】
上蓋１０、突起１１、
箱中間部２０、第１の前パネル２１、第１の後パネル２２、第１の左パネル２３、第１の右パネル２４、
箱底部３０、第２の前パネル３１、第２の後パネル３２、第２の左パネル３３、第２の右パネル３４、底板３５、第２の前パネル四角形開口の左、右側縁３０１、
前パネル固定縁１、後パネル固定縁２、持ち手３、折り部材４、折り部材挿入溝５。
【図１】
0003234143.tif 000003
【図２】
0003234143.tif 000004
【図３】
0003234143.tif 000005
【図４】
0003234143.tif 000006
【図５】
0003234143.tif 000007
【図６】
0003234143.tif 000008
【図７】
0003234143.tif 000009